(57)【要約】【課題】  本発明は、組み付けを簡便にしつつ液晶表示パネルの静電気対策を施すことのできる液晶表示装置を提供することを目的とする。【解決手段】  液晶表示素子からなる表示パネル１と、表示パネル１を保持するホルダー３と、ホルダー３の背後側に配設される回路基板４と、表示パネル１と回路基板４との間を電気的に接続するフレキシブルプリント配線板６（ＦＰＣ）と、表示パネル１上のＦＰＣ６が接続される箇所あるいはＦＰＣ６上に実装される表示パネル１を駆動する電子部品Ｐと、ホルダー１に固定される導電性の枠状フレーム７と、を備えた液晶表示装置において、回路基板４に設けられたグランドパターン４３に接続される通電用腕片７０を枠状フレーム７から一体に設けるとともに、ＦＰＣ６および電子部品Ｐを覆う障壁部７２を枠状フレーム７から一体に設けてなることを特徴とする液晶表示装置である。【選択図】  図１
2010271381.tif 000002
【特許請求の範囲】
【請求項１】
液晶表示素子からなる表示パネルと、この表示パネルを保持するホルダーと、このホルダーの背後側に配設される回路基板と、前記ホルダーの外側壁面に沿い前記表示パネルと前記回路基板との間を電気的に接続するためのフレキシブルプリント配線板と、前記表示パネル上の前記フレキシブルプリント配線板が接続される箇所あるいは前記フレキシブルプリント配線板上に実装され、前記表示パネルを駆動する電子部品と、前記表示パネル上に位置し前記ホルダーに固定される導電性の枠状フレームと、を備えた液晶表示装置において、前記枠状フレームから一体に設けられ前記回路基板に設けられたグランドパターンに接続される通電用腕片と、前記フレキシブルプリント配線板および前記電子部品を覆う枠状フレームから一体に設けられた障壁部と、を備えてなることを特徴とする液晶表示装置。
【請求項２】
前記障壁部は、前記ホルダーの外側壁面に沿って配設され、前記フレキシブルプリント配線板と前記電子部品を覆ってなることを特徴とする請求項１に記載の液晶表示装置。
【請求項３】
前記枠状フレームには、前記ホルダーに対して係脱可能な固定用腕片を設けてなることを特徴とする請求項１に記載の液晶表示装置。
【発明の詳細な説明】
【技術分野】
【０００１】
本発明は、表示装置の実装構造に関し、特に液晶表示素子からなる表示パネルを用いた液晶表示装置の組み付け構造に関するものである。
【背景技術】
【０００２】
この種の液晶表示装置として、たとえば液晶表示素子を用いた表示パネルからなる液晶表示装置の多くは、ライトボックスと称されるホルダー（ケース）を通じて液晶表示パネルが支持されるとともに、ホルダーの背後側に回路基板が配設されて支持され、回路基板に装着した光源（ＬＥＤ）にて表示パネルがバックライト照明される。また液晶表示素子からなる表示パネルと回路基板とは、表示パネルに設けられた電極端子と回路基板に設けられた回路パターンとが適宜接続部材にて導通接続され、回路基板を通じて表示パネルに駆動信号を供給し、表示パネルに所定の表示を行わせるように構成している（特許文献１参照）。
【０００３】
また、液晶表示装置は、低消費電力型という特徴の他に、液晶表示装置全体の小型化、薄型化を指向するうえで有効な表示要素であり、回路基板を含む表示ユニットは合成樹脂製のホルダーの収納空間に有効に配設される必要がある。このため、回路基板の配設位置によっては、導電パターン部分が基板の端部にまで引き回し形成される場合が有り、こうした収納構造にあっては高絶縁物である合成樹脂製のホルダーに静電気が発生し、その帯電による電圧が高くなったときには、近接する導電部材、この場合にあっては、たとえば回路基板の導電パターン箇所などに放電現象が生じ、回路基板の導電パターンを通してかなりの高電圧が加わるため、電子部品であるＭＯＳ型ＩＣなどのゲートが破壊される現象が発生し、電気回路が不良状態に陥り、使用不可能となってしまうという問題が生じることがある。また、こうした現象が発生すると液晶表示パネルの表示の一部あるいは全部が消えてしまうことがあり、あるいは予期せぬ誤表示を生じてしまう虞があり、その表示情報を把握できずあるいは誤読を生じさせてしまうという問題がある。さらに液晶表示素子によ表示パネルそのものも、静電気による電界によって液晶表示パネルのガラス基板の両側に電荷の移動を生じさせ、かつこの電荷が液晶表示パネルの透明電極や絶縁抵抗の少ない箇所に集まり、ガラス基板間の静電気が液晶励起に充分な大きさで安定してしまうため、液晶表示パネルが意味のない誤表示することもある。
【０００４】
また、このような静電気の問題点を考慮するものとして、たとえば特許文献２などに開示されているように、金属製の材料からなる枠状のフレームによって液晶表示パネルの前面側から被せ、金属製のフレームの所要箇所に複数設けられた略Ｌ字状の固定爪を回路基板の固定孔（爪孔）に差し込んでそれぞれ折り曲げることにより回路基板のグランドパターンに接地すると同時に液晶表示パネルの組付けをも金属製のフレームによって固定保持するようにしているものが知られている（特許文献２参照）。
【０００５】
また液晶表示パネルと回路基板とを簡単に電気的に引き回し形成するために、特許文献３や特許文献４などに示すように、フレキシブルプリント配線板を用いて簡単に電気的に引き回し形成することができるようにしたものが知られている。この際、特許文献３や特許文献４などにあっては、液晶表示パネルと回路基板とはたとえばフレキシブルプリント配線板によって簡単に接続することができるものであり、このフレキシブル配線板上には液晶表示パネルを駆動する駆動用ＩＣ（電子部品）を実装したり、あるいは液晶表示パネルの一部を構成するガラス基板の回路パターン上に液晶表示パネルを駆動する駆動用ＩＣ（電子部品）を実装することによって高密度実装を実現することをねらいとし、周辺回路を簡素化してコスト低減を図るようにしている。
【先行技術文献】
【特許文献】
【０００６】
【特許文献１】特開２００６−２２１０１７号公報
【特許文献２】特開平５−１８８３８８号公報
【特許文献３】特開平１０−２８５４９６号公報
【特許文献４】特開平９−３１８９６５号公報
【発明の概要】
【発明が解決しようとする課題】
【０００７】
ところで、ホルダーに支持された液晶表示パネルの少なくとも前面側を金属製のフレームによって覆うことにより静電気による駆動用ＩＣ（電子部品）の保護あるいは液晶表示パネルの誤表示などは解消される。しかしながら、液晶表示パネルのガラス基板上に実装された駆動用ＩＣ（電子部品）やフレキシブル配線板上に実装された駆動用ＩＣ（電子部品）などがフレキシブルプリント配線板の導電路を介して伝わってくることがあり、これにより駆動用ＩＣ（電子部品）を含む駆動回路が破壊されてしまうという問題がある。
【０００８】
すなわち、ホルダー（ケース）に支持された液晶表示パネルの電極部からフレキシブルプリント配線板を介して回路基板側の電気コネクタへと電気的に接続形成する取扱い時などにおいて、金属製のフレーム側から外部側へと引き回し形成されたフレキシブルプリント配線板の配線路となる導電パターンの銅箔部箇所に静電気が放電し、この放電現象により回路基板の導電パターンを通して高電圧が加わるため、駆動用ＩＣ（電子部品）が破壊される現象が発生し、電気回路が不良状態に陥り、使用不可能となってしまうという問題が生じることがある。
【０００９】
また、液晶表示ユニットを回路基板の表面側にセットする際やセットした後において回路基板側へと引き回し形成されたフレキシブルプリント配線板が液晶表示パネルを支持するホルダーの外部側の側方に位置するため、ホルダーの外側に位置する回路基板上に余裕をもってフレキシブルプリント配線板を引き回し配設するとフレキシブルプリント配線板が彎曲して浮き上がった状態となるため、振動などによってフレキシブルプリント配線板の両端部が傷みやすく、浮き上がりによって彎曲した部分も損傷しやすくなり、フレキシブルプリント配線板の損傷による導通不良を発生してしまうなどの問題などを有している。加えて、ホルダーの外部へと浮き上がって配置されていると外部側から接触してしまう虞もあり、フレキシブルプリント配線板を傷めてしまう虞もある。
【００１０】
本発明は前述した問題点に着目し、液晶表示パネルを固定保持するホルダーに対し液晶表示パネルおよび枠状フレームを簡単に組み付けることができるとともに液晶表示パネルの静電気対策を施すことのできる表示装置を提供することを目的とする。
【課題を解決するための手段】
【００１１】
本発明は、前記目的を達成するため、液晶表示素子からなる表示パネルと、この表示パネルを保持するホルダーと、このホルダーの背後側に配設される回路基板と、前記ホルダーの外側壁面に沿い前記表示パネルと前記回路基板との間を電気的に接続するためのフレキシブルプリント配線板と、前記表示パネル上の前記フレキシブルプリント配線板が接続される箇所あるいは前記フレキシブルプリント配線板上に実装され、前記表示パネルを駆動する電子部品と、前記表示パネル上に位置し前記ホルダーに固定される導電性の枠状フレームと、を備えた液晶表示装置において、前記枠状フレームから一体に設けられ前記回路基板に設けられたグランドパターンに接続される通電用腕片と、前記フレキシブルプリント配線板および前記電子部品を覆う枠状フレームから一体に設けられた障壁部と、を備えてなることを特徴とする液晶表示装置である。
【００１２】
このように構成することにより、通電用腕片と回路基板に設けられたグランドパターンとの接触によって液晶表示素子からなる表示パネル側に静電気が帯電することを防ぐことができ、静電気の帯電による液晶パネルの表示欠落や誤表示の発生を未然に防ぐことができる。また枠状フレームから一体に設けられた障壁部によってフレキシブルプリント配線板および表示パネル上あるいはフレキシブルプリント配線板上に実装された表示パネルを駆動する電子部品を覆うことによって液晶表示装置の取扱い時などにおいて外部側から静電気が放電してきたとしても、障壁部によって内部側への放電を遮蔽することが可能となり、これによりフレキシブルプリント配線板に設けられている配線パターンからなる導電路を介して電子部品に高電圧が加わることを未然に防ぐことができ、電子部品が破壊されることを防ぐことができるものであり、加えて障壁部によりフレキシブルプリント配線板を覆うことにより外部から直接的に接触することを未然に防ぐことができるためフレキシブルプリント配線板および電子部品を保護することができる。
【００１３】
また請求項１に記載の液晶表示装置において、請求項２では、前記障壁部は、前記ホルダーの外側壁面に沿って配設され、前記フレキシブルプリント配線板と前記電子部品を覆ってなることを特徴とするものである。
【００１４】
このように構成することにより、液晶表示装置の組み付け時において、枠状フレームをホルダーに対して組み付ける際にフレキシブルプリント配線板の外面部分に沿うように組み付けることができ、これによりフレキシブルプリント配線板を傷めることなく実装することができる。
【００１５】
また請求項１に記載の液晶表示装置において、請求項３では、前記枠状フレームには、前記ホルダーに対して係脱可能な固定用腕片を設けてなることを特徴とするものである。
【００１６】
このように構成することにより、液晶表示装置の組み付け時において、個別の固定部品を設けることなく、簡単にホルダーに対して枠状フレームをセットすることができるとともに、液晶表示装置の分解作業などにおいても容易に固定用腕片を操作することによって取り外しを簡便に行うことができる。
【発明の効果】
【００１７】
本発明では、液晶表示素子からなる表示パネルと、この表示パネルを保持するホルダーと、このホルダーの背後側に配設される回路基板と、前記ホルダーの外側壁面に沿い前記表示パネルと前記回路基板との間を電気的に接続するためのフレキシブルプリント配線板と、前記表示パネル上の前記フレキシブルプリント配線板が接続される箇所あるいは前記フレキシブルプリント配線板上に実装され、前記表示パネルを駆動する電子部品と、前記表示パネル上に位置し前記ホルダーに固定される導電性の枠状フレームと、を備えた液晶表示装置において、前記枠状フレームから一体に設けられ前記回路基板に設けられたグランドパターンに接続される通電用腕片と、前記フレキシブルプリント配線板および前記電子部品を覆う枠状フレームから一体に設けられた障壁部と、を備えてなることを特徴とする液晶表示装置であるため、通電用腕片と回路基板に設けられたグランドパターンとの接触によって液晶表示素子からなる表示パネル側に静電気が帯電することを防ぐことができ、静電気の帯電による液晶パネルの表示欠落や誤表示の発生を未然に防ぐことができる。また枠状フレームから一体に設けられた障壁部によってフレキシブルプリント配線板および表示パネル上あるいはフレキシブルプリント配線板上に実装された表示パネルを駆動する電子部品を覆うことによって液晶表示装置の取扱い時などにおいて外部側から静電気が放電してきたとしても、障壁部によって内部側への放電を遮蔽することが可能となり、これによりフレキシブルプリント配線板に設けられている配線パターンからなる導電路を介して電子部品に高電圧が加わることを未然に防ぐことができ、電子部品が破壊されることを防ぐことができるものであり、加えて障壁部によりフレキシブルプリント配線板を覆うことにより外部から直接的に接触することを未然に防ぐことができるためフレキシブルプリント配線板を保護することができるものであり、初期の目的を達成することができる。
【図面の簡単な説明】
【００１８】
【図１】図１は、本発明の実施形態である液晶表示装置を示す分解斜視図。
【図２】図２は、図１の組み付け状態を示す液晶表示装置の要部断面図。
【図３】図３は、図１の組み付け状態を示す液晶表示装置の要部断面図。
【図４】図４は、図１の組み付け状態を示す液晶表示装置の要部断面図。
【図５】図５は、図１の組み付け状態を示す液晶表示装置の要部断面図。
【発明を実施するための形態】
【００１９】
本発明の対象とする液晶表示装置として、車両用の液晶表示装置を例にして詳述する。以下本発明の実施形態を添付図面に基づいて説明する。
【００２０】
図１から図５において、本実施形態による液晶表示装置は、透過型の液晶表示素子からなる矩形状の表示パネル１と、この表示パネル１の裏面側に配置され光透過性を有する拡散板２と、表示パネル１および拡散板２を支持する合成樹脂材料からなるホルダー３と、表示パネル１の背後に配置された硬質の回路基板４と、この回路基板４上に実装され液晶表示素子からなる表示パネル１を背後から照明する発光ダイオードによる光源５を備えている。また表示パネル１側と回路基板４側とを電気的に接続する可撓性の配線板であるフレキシブルプリント配線板６が設けられている。表示パネル１の前面側には、表示パネル１とともにホルダー３の周縁を覆う枠状の縁部を有する金属製の導電性材料からなる枠状フレーム７が設けられている。
【００２１】
液晶表示装置における表示パネル１は、たとえば一対のガラス基板１Ａ，１Ｂ間に液晶分子を封入した液晶表示素子からなり、その端部にはフレキシブルプリント配線板６と導通接続される複数の電極端子（図示せず）が設けられている。
【００２２】
ホルダー３は白色の合成樹脂からなり、底壁３０と、その底壁３０から連続して設けられる側周壁３１と、側周壁３１の上端側周縁部の内面側に表示パネル１および拡散板２が載置される段差受部３２が設けられている。また段差受部３２の適所には拡散板２を位置決め保持するための位置決めピン３３が設けられている。この位置決めピン３３の位置に合わせて拡散板２には、その周縁部から部分的に突出し、固定支持される位置決め孔２０が設けられている。
【００２３】
またホルダー３の段差受部３２から奥まった位置において、たとえば回路基板４上に実装された白色で発光する発光ダイオードからなる光源５が点灯すると、光源５側からの照射光がホルダー３内へと導かれて発光し、これらの光が拡散板２で拡散されて、たとえば表示部（図示せず）を除いた表示パネル１をほぼ均一に照明するようになっている。なお、満足する照明が得られないようであれば、拡散板２の背後、すなわち拡散板２と光源５との間に導光板（図示せず）を配設するようにしても良い。
【００２４】
回路基板４は、たとえばガラスエポキシ系材料からなる硬質の基板で形成されており、その所定箇所にはフレキシブルプリント配線板６を介して表示パネル１の各電極端子（図示せず）と導通接続される。この際、表示パネル１に駆動信号を供給する複数の回路パターン４０が回路基板４上の表面側あるいは裏面側に設けられており、回路基板４上の回路パターン４０上に回路部品４１が実装されている。また回路基板４から引き出し形成された複数の電極端子（図示せず）と回路基板４に実装されたコネクタ４２とを電気的に接続し、コネクタ４２を介してフレキシブルプリント配線板６の電極端子（図示せず）と接続するように構成している。また回路基板４上の背面側には静電気を放電するためのグランドパターン４３が引き回し形成されている。
【００２５】
表示パネル１を背後から照明する発光ダイオードからなる光源５は、ホルダー３の内部側にて複数個の光源５がほぼ等間隔にて配置されており、この光源５は回路基板４の回路パターン４０上に実装されている。この際、光源５はホルダー３の底壁３０に設けられた開口穴部３０Ａから表示パネル１，拡散板２を臨むように配置されている。
【００２６】
フレキシブルプリント配線板６は、合成樹脂製の樹脂フィルムに所望の導電回路パターン６０を形成したものであり、この場合、表示パネル１に設けられた図示しない電極端子と回路基板４に設けられた回路パターン４０とがコネクタ４２を介して導通接続され、回路基板４を通じて表示パネル１に駆動信号を供給し、表示パネル１に所定の表示を行わせるようになっている。この場合、フレキシブルプリント配線板６の導電回路パターン６０上には液晶表示パネル１を駆動する駆動用ＩＣからなる電子部品Ｐが実装されるとともに、液晶表示パネル１の一部を構成する一方のガラス基板１Ａに施された回路パターン（図示せず）上に液晶表示パネル１を駆動する駆動用ＩＣからなる電子部品Ｐが実装されることによって、高密度実装が可能となるように設けられている。この際、電子部品Ｐが実装されているフレキシブルプリント配線板６の背面部分にはポリイミド樹脂からなる補強用絶縁板６１が部分的に重ね合わせて貼り付けられている。
【００２７】
またホルダー３の側周壁３１には、フレキシブルプリント配線板６の一部に貼り合わせた補強用絶縁板６１の両端部を支持して固定保持するＬ字形状からなる枠状の固定部３４が一体に形成されている。
【００２８】
また、本実施形態にあっては、合成樹脂製のホルダー３の側周壁３１の外面箇所の適所には、固定部である断面形状が三角形からなる係合部３５が一体に突き出し形成されるとともに、ホルダー３の側周壁３１の上端側から奥行き方向に向けて角穴形状からなる枠状のガイド枠部３６が形成されている。
【００２９】
また導電性の枠状フレーム７には、ホルダー３のガイド枠部３６と対応する位置に回路基板４に設けられた導電路からなるグランドパターン４３に接続される通電用腕片７０が一体に切り起こし形成されるとともに、ホルダー３の側周壁３１外面箇所に設けられたそれぞれの係合部３４と係合固定される略コ字形状からなる固定用腕片７１が枠状フレーム７から一体に切り起こし形成されている。この際、枠状フレーム７の上端面側の取付面を基準にして切り起こされて形成された通電用腕片７０の長さを固定用腕片７１の長さよりも長く設定している。
【００３０】
また通電用腕片７０の先端側には、両端側に切れ込みを設けて折り曲げやすくした折り曲げ部７０Ａが設けられるとともに、回路基板４のグランドパターン４３と電気的に接続するための開口孔７０Ｂが設けられ、この開口孔７０Ｂを介してたとえば固定用部材であるネジＳによって回路基板４のグランドパターン４３に設けた通電用固定孔４３Ａを挿通しつつホルダー３側に螺着固定することにより通電を果たすように構成している。
【００３１】
また枠状フレーム７には、液晶表示パネル１に接続されたフレキシブルプリント配線板６をホルダー３の側周壁３１の外面に沿わせて引き回し形成した状態において、フレキシブルプリント配線板６と液晶表示パネル１を駆動するための電子部品Ｐとを覆って保護するために枠状フレーム７から一体に回路基板１側へ向けて垂れ下がる障壁部７２が設けられている。なお、通電用固定孔４３Ａと隣接して回路基板４には、枠状フレーム７の通電用腕片７０を挿通可能とする取付孔４４が設けられている。
【００３２】
また回路基板４に対して液晶表示パネル１をセットしたホルダー３を組み付け易くするために、回路基板４の適所に位置合わせのための位置決め孔４５が設けられており、この位置決め孔４５と対向するホルダー３側には、ピン状のガイド部材３７が一体に突き出し形成されている。また回路基板４にはホルダー３を固定保持するための固定孔４６が設けられるとともに、この回路基板４の固定孔４６と係合する係合部材である弾性を有する係合爪片３８がホルダー３から一体に設けられている。
【００３３】
なお、回路基板４には、回路基板４の裏面側に実装されたコネクタ４２と隣接した箇所には、フレキシブルプリント配線板６を引き回し形成するための挿通孔４７が設けられている。
【００３４】
本実施形態における液晶表示装置は、以下のように組み付けられる。ホルダー３の前面側においては、ホルダー３の段差受部３２上に拡散板２を載置し、予め電子部品Ｐを液晶表示パネル１のガラス基板１Ａ上に実装するとともにフレキシブルプリント配線板６上にも実装した状態にてフレキシブルプリント配線板６を液晶表示パネル１と導通接続した状態において、ホルダー３の段差受部３２上に拡散板２と液晶表示パネル１とを載置して、次に導電性の枠状フレーム７を液晶表示パネル１の上側からホルダー３に被せ、ホルダー３に設けた固定部である断面形状が三角形の係合部３５に対して枠状フレーム７から切り起こし形成された固定用腕片７１が嵌め込み固定されることにより液晶表示パネル１が固定保持される。
【００３５】
また液晶表示パネル１と拡散板２とをホルダー３にセットする際に、液晶表示パネル１に接続されているフレキシブルプリント配線板６はホルダー３の側周壁３１に設けたＬ字状の枠体からなる固定部３４によって仮止め保持されるため、フレキシブルプリント配線板６をホルダー３にほぼ沿いながら引き回し配設することができる。
【００３６】
次いで、ホルダー３に液晶表示パネル１と拡散板２とをセットした状態において、枠状フレーム７をホルダー３の上側から被せて組み付け固定する場合、導電性の枠状フレーム７に設けられた通電用腕片７０がホルダー３に設けられた角孔形状からなる枠状のガイド枠部３６に案内ガイドされて送り込まれ、枠状フレーム７の通電用腕片７０がガイド枠部３６によって案内されつつ枠状フレーム７に設けられた固定用腕片７１がホルダー３に設けられた固定部となる係合部３５に係合保持されることにより液晶表示装置の組み付けを簡便に行うことができる。
【００３７】
この際、枠状フレーム７の上端面側の取付面を基準にして切り起こされて形成された通電用腕片７０の長さを固定用腕片７１の長さよりも長く設定しているため、枠状フレーム７の組み付けに際し、枠状フレーム７に形成された固定用腕片７１の先端部がホルダー３に形成された係合部３５に係合する前に、枠状フレーム７に形成された通電用腕片７０がホルダー３に形成されたガイド枠部３６の内壁面に沿って案内ガイドされる。
【００３８】
そして、ガイド枠部３６に沿って通電用腕片７０がガイド枠部３６の奥行き方向に沿って位置合わせされながら送り込まれる途上において、固定用腕片７１が固定部である係合部３５に向けて送り込まれることによって簡単に嵌め込み固定することができる。
【００３９】
なお、たとえば表示パネル１の部品交換などの際においては、係合部３５に係合保持されている固定用腕片７１の係合状態を外すことによって枠状フレーム７を取り外すことができ、実装されている部品の交換も簡単に行うことが可能となる。
【００４０】
またホルダー３に対して枠状フレーム７の組み付けが完了すると、枠状フレーム７から一体に設けた障壁部７２によってフレキシブルプリント配線板６および液晶表示パネル１上あるいはフレキシブルプリント配線板６上に実装された液晶表示パネル１を駆動する電子部品Ｐを覆うことができ、これにより液晶表示装置の取扱い時などにおいて外部側から静電気が放電してきたとしても、障壁部７２によって内部側への放電を遮蔽することが可能となる。この際、フレキシブルプリント配線板６に設けられている導電回路パターン６０からなる導電路を介して電子部品Ｐに高電圧が加わることを未然に防ぐことができ、電子部品Ｐが破壊されることを未然に防ぐことができるものであり、加えて障壁部７２によりフレキシブルプリント配線板６を覆うことにより外部から直接的に接触してしまうという問題も解消することができるためフレキシブルプリント配線板６を保護することができる。
【００４１】
続いて、回路基板４に対して枠体フレーム７とともに液晶表示パネル１などを実装したホルダー３を組み付け固定する場合、枠体フレーム７に設けた通電用腕片７０を回路基板４に設けた取付孔４４に沿って送り込むとともに、ホルダー３のピン状のガイド部材３７を回路基板４の位置決め孔４５に沿わせて位置合わせしつつ送り込むことによって、ホルダー３に設けた係合爪片３８を回路基板４に設けた固定孔４６に簡単に係合することができる。
【００４２】
また、回路基板４上にセットされた液晶表示パネル１，ホルダー３，枠体フレーム７などはフレキシブルプリント配線板６の端部側を回路基板４に設けた挿通孔４７を介して回路基板４の裏側へと引き出し案内され、引き出し案内されたフレキシブルプリント配線板６の端部を回路基板４のコネクタ４２へと差し込むことによって電気的に引き回し形成される。なお、場合によってはフレキシブルプリント配線板６は回路基板４の端縁部分を迂回しながらコネクタ４２側へと引き回し配設するようにしても良い。
【００４３】
また本実施形態における液晶表示装置においては、回路基板４に対してホルダー３とともに枠状フレーム７を取付固定した後に、通電用腕片７０の先端側の折り曲げ部７０Ａを折り曲げ形成し、通電用腕片７０の先端側に設けられた開口孔７０Ｂを介してネジＳによって回路基板４のグランドパターン４３に設けた通電用固定孔４３Ａを挿通してホルダー３側に螺着することにより電気的な通電が果たせるものとなり、これにより通電用腕片７０と回路基板４に設けられたグランドパターン４３との接地によって液晶表示パネル１側に静電気が帯電することを予防することができ、静電気の帯電による表示欠落や誤表示の発生を未然に防ぐことができる。
【００４４】
また通電用腕片７０と回路基板４に設けられたグランドパターン４３との接地によって静電気の帯電現象をグランドパターン４３へと放電することができるため、回路基板４上に実装された電子部品４１の破壊をも未然に防ぐことができる。
【００４５】
この実施形態にあっては、電子部品Ｐが実装されているフレキシブルプリント配線板６の背面部分にはポリイミド樹脂からなる補強用絶縁板６１が部分的に重ね合わせて貼り付けられているため、その補強用絶縁板６１の表面側を覆うように導電性の枠状フレーム７に設けた障壁部７２を配設することによって外部側からの静電気が内部側に向けて放電されて浸入しようとしても障壁部７２によって遮蔽することが可能となり、一旦障壁部７２に入った静電気は導電性の枠状フレーム７介して回路基板４のグランドパターン４３へと放電することが可能となるためフレキシブルプリント配線板６上に実装した電子部品Ｐなどの破壊を防ぐことができる。
【００４６】
なお、前述した実施形態にあっては、液晶表示パネル１から引き回し形成されたフレキシブルプリント配線板６の外面に沿うように部分的に障壁部７２を導電性の枠状フレーム７と一体に形成していたが、フレキシブルプリント配線板６が引き回されているホルダー３の側周壁３１の一面に沿って障壁部７２を形成することにより更に外部からの静電気の影響を受けにくくすることが可能となるものである。また実施形態にあっては、ネジＳによって通電用腕片７０と回路基板４のグランドライン４３とを電気的に接続するように形成していたが、通電用腕片７０の先端側を弾性を有する通電用接触片として形成し、グランドライン４３側との間において電気的に接続するようにしても良い。
【産業上の利用可能性】
【００４７】
また、前述した実施形態においては、その適用例として車両用などの液晶表示装置を例にして説明したが、車両用の液晶表示装置に限らず船舶用あるいは農業用機械や建設機械などの特殊車両の液晶表示装置などにおいても適用することが可能である。
【符号の説明】
【００４８】
１    表示パネル
１Ａ，１Ｂ    ガラス基板
２    拡散板
３    ホルダー
４    回路基板
５    光源（発光ダイオード）
６    フレキシブルプリント配線板
７    枠状フレーム
２０    位置決め孔
３０    底壁
３０Ａ    開口穴部
３１    側周壁
３２    段差受部
３３    位置決めピン
３４    固定部
３５    係合部
３６    ガイド枠部
３７    ガイド部材
３８    係合爪片
３９    挿通孔
４０    回路パターン
４１    回路部品
４２    コネクタ
４３    グランドライン
４３Ａ    通電用固定孔
４４    取付孔
４５    位置決め孔
４６    固定孔  
６０    導電回路パターン
６１    補強用絶縁板
７０    通電用腕片
７０Ａ    折り曲げ部
７０Ｂ    開口孔
７１    固定用腕片
７２    障壁部
Ｐ    電子部品
Ｓ    ネジ
【図１】
2010271381.tif 000003
【図２】
2010271381.tif 000004
【図３】
2010271381.tif 000005
【図４】
2010271381.tif 000006
【図５】
2010271381.tif 000007